(57)【特許請求の範囲】
【請求項１】
撮影手段により撮影された対象物の撮影画像に基づき、所定の処理を実行する画像処理装置であって、
複数の画像のそれぞれに対して、任意に指定されたアプリケーションとデータベース内のデータレコードとを対応づけて記憶する記憶手段と、
アプリケーションの起動のために前記撮影手段により対象物が撮影された際に、この撮影された撮影画像と前記記憶手段に記憶されている複数の画像とを比較し、両者が近似しているか否かを判定する判定手段と、
この判定手段により画像が近似していると判定された場合は、その画像に対応づけて前記記憶手段に記憶されているアプリケーションを起動し、画像に対応づけて記憶されているデータベース内のデータレコードを読み出して前記撮影された対象物に関する情報を表示する表示制御手段と
を備えることを特徴とする画像処理装置。
【請求項２】
コンピュータを、
複数の画像のそれぞれに対して、任意に指定されたアプリケーションとデータベース内のデータレコードとを対応づけて記憶手段へ記憶する手段、
アプリケーションの起動のために撮影手段により対象物が撮影された際に、この撮影された撮影画像と前記記憶手段に記憶されている複数の画像とを比較し、両者が近似しているか否かを判定する判定手段、
この判定手段により画像が近似していると判定された場合は、その画像に対応づけて前記記憶手段に記憶されているアプリケーションを起動し、画像に対応づけて記憶されているデータベース内のデータレコードを読み出して前記撮影された対象物に関する情報を表示する表示制御手段
として機能させるためのプログラムを記憶したコンピュータ読み取り可能な記録媒体。
【発明の詳細な説明】
【０００１】
【発明の属する技術分野】
本発明は、取り込んだ画像データに基づき、各種処理を実行する画像処理装置および記録媒体に関する。
【０００２】
【従来の技術】
画像処理装置における、取り込んだ画像データに対する画像処理方法として、以下のようなものがある。
【０００３】
携帯端末等の画像処理装置に内蔵または外部接続されたＣＣＤカメラ等の画像入力装置により、画像データが画像処理装置に取り込まれ、該装置上で取り込んだ画像データに対する加工・編集を行っていた。
【０００４】
例えば、取り込んだ画像データをファイル化、または該画像処理装置上で扱えるフォーマットに変換し、特定のソフトウェアで活用するための画像データベースを作成する。また、ＯＣＲソフトウェア等との組み合わせにより、テキスト情報等の電子データとして変換する等である。
【０００５】
【発明が解決しようとする課題】
しかしながら、このような画像処理方法においては、取り込んだ画像データを活用するためには、まずその画像データに対する変換等の一次加工が必要であり、以降の処理との連続性を維持することが困難であった。
【０００６】
本発明の課題は、画像データを用いてデータベース内のデータレコードを、簡単な操作で表示できる画像処理装置および記憶媒体を提供することである。
【０００７】
【課題を解決するための手段】
請求項１に記載の本発明の画像処理装置は、撮影手段により撮影された対象物の撮影画像に基づき、所定の処理を実行する画像処理装置であって、複数の画像のそれぞれに対して、任意に指定されたアプリケーションとデータベース内のデータレコードとを対応づけて記憶する記憶手段と、アプリケーションの起動のために前記撮影手段により対象物が撮影された際に、この撮影された撮影画像と前記記憶手段に記憶されている複数の画像とを比較し、両者が近似しているか否かを判定する判定手段と、この判定手段により画像が近似していると判定された場合は、その画像に対応づけて前記記憶手段に記憶されているアプリケーションを起動し、画像に対応づけて記憶されているデータベース内のデータレコードを読み出して前記撮影された対象物に関する情報を表示する表示制御手段とを備える。
【０００８】
請求項２に記載の発明は、コンピュータを、請求項１に記載の発明の各手段として機能させるためのプログラムを格納した記録媒体である。例えば、発明の実施の形態に記載の記憶媒体８に相当する。
【００１１】
【発明の実施の形態】
以下、図を参照して実施の形態を詳細に説明する。
【００１２】
（第１の実施の形態）
図１は、本発明の画像処理装置を適用した携帯端末１０と、外部接続されるカメラ２０とを示す図である。カメラ２０にて撮影される画像が携帯端末１０に取り込まれ、この携帯端末１０にて各種画像処理が行われる。
【００１３】
この携帯端末１０の内部構成を、図２に示すブロック図に基づいて説明する。同図において、携帯端末１０は、ＣＰＵ１、入力部２、ＲＡＭ３、伝送制御部４、表示部５、カメラ制御部６、記憶装置７、および記憶媒体８により構成され、記憶媒体８を除く各部はバス９に接続されている。
【００１４】
ＣＰＵ１は、記憶媒体８内に記憶されている各種処理プログラムを読み出してＲＡＭ３に一時格納し、当該各種処理プログラムに基づく各種処理を実行し、その処理結果をＲＡＭ３に格納するとともに表示部５に表示させる。
【００１５】
また、ＣＰＵ１は、後述する画像メモリ設定処理（図７参照）を実行する。この画像メモリ設定処理において、ＣＰＵ１は、カメラ２０にて撮影された画像データに、その画像が撮影された際に起動するアプリケーション名、その際に使用されるデータベース名等の情報を対応づけて記憶媒体８に保存し、画像データベースを作成する。
【００１６】
さらに、ＣＰＵ１は、後述する対応ＡＰ実行処理（図８参照）を実行する。この対応ＡＰ実行処理において、ＣＰＵ１は、カメラ２０にて撮影された画像データから、記憶媒体８内の画像データベースに基づいて対応するアプリケーションを起動し、各種処理を実行する。
【００１７】
入力部２は、カーソルキー、数字入力キーおよび各種機能キー等を備えたキーボードと、ポインティングデバイスであるマウスとを備え、キーボードで押下されたキーの押下信号をＣＰＵ１に出力するとともに、マウスによる操作信号をＣＰＵ１に出力する。ユーザは、入力部２を介して各種処理における選択・指示を行う。
【００１８】
ＲＡＭ３は、ＣＰＵ１により実行される各種処理プログラムや各種アプリケーションプログラムを格納するプログラム格納エリアと、入力指示、入力データおよび処理結果を一時格納するワークエリアを有する。
【００１９】
伝送制御部４は、モデム（ＭＯＤＥＭ：MOdulator/DEModulator）、またはターミナルアダプタ（ＴＡ：Terminal Adapter）等によって構成され、電話回線、ＩＳＤＮ回線等の通信回線を介して外部機器との通信を行うための制御を行う。モデムは、電話回線を介してパーソナルコンピュータ等の外部機器との通信を行うために、ＣＰＵ１によって処理されたデジタルデータを電話回線の周波数帯域にあったアナログ信号に変調し、また、電話回線を介して入力されたアナログ信号をデジタルデータに復調する装置であり、ターミナルアダプタは、ＩＳＤＮ回線を介してパーソナルコンピュータ等の外部機器との通信を行うために、既存のインターフェースをＩＳＤＮに対応するインターフェースに変換する装置である。
【００２０】
表示部５は、液晶表示装置等により構成され、ＣＰＵ１から入力される出力データに基づいて、処理結果等を表示する。
【００２１】
カメラ制御部６は、ＣＰＵ１からの指示により、カメラ２０にて撮影された撮影画像を携帯端末１０に対応する画像データに変換し、ＣＰＵ１に出力する。
【００２２】
記憶装置７は、プログラムやデータ等があらかじめ記憶されている記憶媒体８を有しており、この記憶媒体８は磁気的、光学的記録媒体、もしくは半導体メモリで構成されている。この記憶媒体８は記憶装置７に固定的に設けたもの、もしくは着脱自在に装着するものであり、この記憶媒体８には携帯端末１０に対応する各種アプリケーションプログラム、後述する画像メモリ設定処理プログラム（図７参照）、対応ＡＰ実行処理プログラム（図８参照）、および各処理プログラムで処理されたデータ、文書等を記憶する。
【００２３】
また、この記憶媒体８に記憶するプログラム、データ等は、その一部もしくは全部をサーバやクライアント等の他の機器から通信回線等の伝送媒体を介して伝送制御部４から受信して記憶する構成にしてもよく、さらに、記憶媒体８はネットワーク上に構築されたサーバの記憶媒体であってもよい。さらに、前記プログラムを通信回線等の伝送媒体を介してサーバやクライアントへ伝送してこれらの機器にインストールするように構成してもよい。
【００２４】
また、記憶媒体８は、図３に示すように、各種メモリおよびファイルを記憶するメモリエリアを有する。
【００２５】
同図において、画像メモリ８１は、図４に示すように複数の画像データを記憶する。各画像データには、画像No.と、その画像データが選択された際に起動するアプリケーション（ＡＰ）名、そのアプリケーションにおいて使用されるデータベース（ＤＢ）名、およびレコードNo.等の情報が、それぞれ対応づけて格納される。また、この画像データについて、起動されたアプリケーションで使用されるデータベースがない場合は、データベース名およびレコードNo.はそれぞれ未設定になる。
【００２６】
また、図３において、データベースファイル８２は、図５に示すように、商品データベース、仕様データベース等の複数のデータベースを、使用されるアプリケーション名とともに記憶する。
【００２７】
各データベースにおいて、例えば、商品データベースにおいては、商品名とその商品情報の複数のデータレコードが、また仕様データベースにおいては、仕様名とその仕様情報の複数のデータレコードが、それぞれレコードNo.と対応づけて格納される。
【００２８】
さらに、図３において、アプリケーションファイル８３は、図６に示すように、複数のアプリケーション名が、使用するソフト名と対応づけて記憶される。
【００２９】
なお、以降のメール設定ファイル８４、インターネット設定ファイル８５等の詳細については、後述する。
【００３０】
次に動作を説明する。
事前に操作者により、対象商品の画像撮影を行い、各商品データベースとあわせて画像データベースを作成し、携帯端末１０内に保存する必要がある。この画像データベースを作成・保存するための画像メモリ設定処理における携帯端末１０の動作を、図７に示すフローチャートに基づいて説明する。
【００３１】
ここで、これらのフローチャートに記述されている各機能を実現するためのプログラムは、読み取り可能なプログラムコードの形態で記憶媒体９に格納されており、ＣＰＵ１は、このプログラムコードにしたがった動作を逐次実行する。また、ＣＰＵ１は通信回線を介して伝送されてきた上述のプログラムコードにしたがった動作を逐次実行することもできる。すなわち、記憶媒体９の他、通信回線を介して外部供給されたプログラム、データを利用してこの実施の形態特有の動作を実行することもできる。
【００３２】
まず、携帯端末１０に外部接続されるカメラ２０により、対象商品画像を撮影する（ステップＳ１）。そして、カメラ２０により撮影された撮影画像は、カメラ制御部６により画像データに変換され、ＣＰＵ１に出力される。そして、ＣＰＵ１は、入力された画像データをＲＡＭ３に一時格納するとともに表示部５に表示させる（ステップＳ２）。
【００３３】
入力部２からの指示により、その画像データに対応して起動させるアプリケーションが選択・指示されると（ステップＳ３）、ＣＰＵ１は、選択されたアプリケーション名をＲＡＭ３に一時格納するとともに画像メモリ８１を参照し、そのアプリケーションには使用するデータベースが存在するか否かを判定する（ステップＳ４）。
【００３４】
データベースがある場合（ステップＳ４：ＹＥＳ）、ＣＰＵ１は、記憶媒体８内のデータベースファイル８２を参照し、その選択されたアプリケーションが使用するデータベースを選択し（ステップＳ５）、そのデータベース名をＲＡＭ３に一時格納するとともに表示部５に表示させる（ステップＳ６）。
【００３５】
次いで、そのデータベース内に、選択されたアプリケーションが使用するデータレコードが格納されているか否かを検索する。そのデータレコードが格納されていない場合（ステップ７：ＹＥＳ）、ＣＰＵ１は、入力部２より対象となるデータを入力させ、該データベースにデータレコードを追加して記憶媒体８に記憶させるとともに、そのレコードNo.をＲＡＭ３に一時格納する（ステップＳ８）。
【００３６】
また、既に対象となるデータレコードがデータベースに格納されている場合（ステップＳ７：ＮＯ）、ＣＰＵ１は、そのレコードNo.を読み出してＲＡＭ３に一時格納する（ステップＳ９）。
【００３７】
そして、入力部２からの指示により、撮影した画像データを画像データベースに追加することを確認すると（ステップＳ１０）、ＣＰＵ１は、その画像データを、ＲＡＭ３に一時格納されているアプリケーション名、データベース名、およびレコードNo. 等の情報と対応づけて画像メモリ８１に追加保存する（ステップＳ１１）。
以上の処理を行うと、ＣＰＵ１は、本画像メモリ設定処理を終了する。
【００３８】
また、撮影した画像データを画像データベースに追加しない場合（ステップＳ１０：ＮＯ）、ＣＰＵ１は、ＲＡＭ３に一時格納されている画像データ、アプリケーション名、データベース名等の設定を初期化し（ステップＳ１３）、本画像メモリ設定処理を終了する。
【００３９】
また、ステップＳ４において、選択したアプリケーションが使用するデータベースが存在しない場合（ステップＳ４：ＮＯ）、ＣＰＵ１は、入力部２からの指示により、画像データを確定して画像データベースに追加することを確認すると（ステップＳ１４：ＹＥＳ）、選択したアプリケーション名を画像データに対応づけて画像メモリ８１に追加保存し（ステップＳ１５）、本画像メモリ設定処理を終了する。なお、その場合、対応するデータベース名、レコードNo.は未設定になる。
【００４０】
また、撮影した画像データを画像データベースに追加しない場合（ステップＳ１４：ＮＯ）、ＣＰＵ１は、ＲＡＭ３に一時格納されている画像データ、アプリケーション名等の設定を初期化し（ステップＳ１７）、本画像メモリ設定処理を終了する。
【００４１】
以上のように、撮影した画像データが各情報に対応づけられ、画像データベースとして画像メモリ８１に保存される。なお、この画像メモリ設定処理は、必要に応じて適宜実行され、画像メモリ８１の内容が追加・更新される。
【００４２】
ユーザがカメラ２０にて対象商品を撮影すると、携帯端末１０内のＣＰＵ１は、記憶媒体８内から対応ＡＰ実行処理プログラムを読み出し、対応ＡＰ実行処理を実行する。この対応ＡＰ実行処理における携帯端末１０の動作を、図８に示すフローチャートに基づいて説明する。
【００４３】
カメラ２０により撮影された撮影画像は、カメラ制御部６により画像データに変換され、ＣＰＵ１に出力される。そして、ＣＰＵ１は、入力された画像データを表示部５に表示するとともにＲＡＭ３に一時格納する（ステップＳ２１）。
【００４４】
次いで、ＣＰＵ１は、記憶媒体８内の画像メモリ８１から最初の画像データを読み出す（ステップＳ２３）。そして、その読み出した画像データと、撮影された画像データとを比較し、近似しているか否かを判定する（ステップＳ２４）。
【００４５】
近似していない場合（ステップＳ２５：ＮＯ）、ＣＰＵ１は、画像メモリ８１から次の画像データを読み出し（ステップＳ２８）、撮影された画像データとの近似の判定を繰り返す（ステップＳ２４）。
【００４６】
また、近似している場合（ステップＳ２５：ＹＥＳ）、ＣＰＵ１は、その読み出した画像データの画像No.を、近似する画像データ一覧表示へ追加する（ステップＳ２６）。
【００４７】
画像メモリ８１内の全画像データについて、撮影した画像データとの比較が終了すると（ステップＳ２７：ＹＥＳ）、ＣＰＵ１は、近似する画像データ一覧表示を表示部５に表示させる。
【００４８】
そして、表示された画像データ一覧表示から、入力部２より適切な画像データが選択・指示されると（ステップＳ２９）、ＣＰＵ１は、記憶媒体８内の画像メモリ８１およびアプリケーションファイル８３を参照し、選択された画像データに対応するアプリケーションを起動する（ステップＳ３０）。
【００４９】
また、起動したアプリケーションに対応するデータベースが存在する場合（ステップＳ３１：ＹＥＳ）、ＣＰＵ１は、記憶媒体８内のデータベースファイル８２を参照し、対応するデータベース内の対応するレコードNo.のレコードデータを読み出し、表示部５に表示させる（ステップＳ３２）。そして、このアプリケーション処理が終了すると、ＣＰＵ１は、本対応ＡＰ実行処理を終了する
【００５０】
以上のように、ユーザによりカメラ２０にて商品が撮影されると、この撮影画像は、携帯端末１０内で画像データベース内の画像データと照合され、対応するアプリケーションが自動的に起動される。そのため、ユーザにとっては、商品を撮影することのみでその商品の詳細情報等を容易に知ることができ、また、簡単な操作で商品情報等の検索が可能になる。
【００５１】
（第２の実施の形態）
上記第１の実施の形態に加え、対象商品を撮影した時間帯に応じて、実行する処理を変更するように構成することもできる。本第２の実施の形態においては、アプリケーションとしてメールソフトが起動された際に、時間帯に応じてメールかＦＡＸかを選択するメール設定処理について説明する。
【００５２】
まず構成を説明する。
本第２の実施の形態における携帯端末は、第１の実施の形態において説明した携帯端末１０（図２参照）と同様の構成をしているため、同符号を付し、その説明を省略する。
【００５３】
なお、携帯端末１０内の記憶媒体８は、さらに、図９に示すメール設定ファイル８４、後述するメール設定処理プログラム（図１０参照）を記憶する。
【００５４】
図９において、メール設定ファイル８４は、画像メモリ８１内に格納されている画像データの画像No.毎に、メールアドレスおよびＦＡＸNo.を、それぞれ時間帯に対応づけて格納する。
【００５５】
次に動作を説明する。
図８のステップＳ３０において、対応するアプリケーション処理としてメールソフトが起動されると（図６参照）、携帯端末１０内のＣＰＵ１は、記憶媒体８からメール設定処理プログラムを読み出し、メール設定処理を実行する。このメール設定処理における携帯端末１０の動作を、図１０に示すフローチャートに基づいて説明する。
【００５６】
まず、メールソフトが起動されると、ＣＰＵ１は、表示部５に初期メイン画面を表示させる（ステップＳ４１）。
【００５７】
そして、入力部２より作成されたメールデータが入力されると、ＣＰＵ１は、記憶媒体８内のメール設定ファイル８４を検索し、ＲＡＭ３に一時格納されている画像データの画像No.に対応するデータレコードが設定されているか否かを検索する（ステップＳ４３）。
【００５８】
画像データに対応するデータレコードが設定されている場合（ステップＳ４３：ＹＥＳ）、ＣＰＵ１は、携帯端末１０内の時計から現在時刻を取得する（ステップＳ４４）。そして、その画像データに対応するデータレコードから、取得した現在時刻を含む時間帯に設定されている送信先種別（すなわちメールかＦＡＸか）を判別する（ステップＳ４６）。
【００５９】
判別した送信先種別がメールであれば（ステップＳ４６：メール）、ＣＰＵ１は、そのメールアドレスを送信先に設定するとともにその旨を表示部５に表示させる（ステップＳ４７）。そして、入力部２を介してメール送信が指示されると（ステップＳ４８：ＹＥＳ）、ＣＰＵ１は、設定された送信先にメールデータを送信し（ステップＳ４９）、本メール設定処理を終了する。
【００６０】
また、入力部２を介してメール送信の取消を指示された場合（ステップＳ５０：ＹＥＳ）、ＣＰＵ１は、送信先の設定を初期化し、本メール設定処理を終了する。
【００６１】
また、ステップＳ４６において判別した送信先種別がＦＡＸであれば（ステップＳ４６：ＦＡＸ）、ＣＰＵ１は、作成されたメールデータをＦＡＸに対応するＦＡＸデータに変換する（ステップＳ５３）。そして、設定されているＦＡＸNo.を送信先に設定するとともにその旨を表示部５に表示させる（ステップＳ５４）。
【００６２】
そして、入力部２を介してＦＡＸ送信が指示されると（ステップＳ５５：ＹＥＳ）、ＣＰＵ１は、設定された送信先にＦＡＸデータを送信し（ステップＳ５６）、本メール設定処理を終了する。
【００６３】
また、入力部２を介してＦＡＸ送信の取消を指示された場合（ステップＳ５７：ＹＥＳ）、ＣＰＵ１は、送信先の設定を初期化し（ステップＳ５８）、本メール設定処理を終了する。
【００６４】
なお、ステップＳ４３において、記憶媒体８内のメール設定ファイル８４を検索した結果、ＲＡＭ３に一時格納されている画像データの画像No.に対応するデータレコードが設定されていない場合（ステップＳ４３：ＮＯ）、または、ステップＳ４５において、その画像データに対応するデータレコードに、取得した現在時刻を含む時間帯が設定されていない場合（ステップＳ４５：ＮＯ）、ＣＰＵ１は、その旨を表示部５に表示させ、入力部２から、作成したメールデータの送信先を入力・設定させる（ステップＳ５２）。
【００６５】
その後、ＣＰＵ１は、その設定された送信先に作成されたメールデータを送信し（ステップＳ４９）、本メール設定処理を終了する。
【００６６】
以上のように、メールソフトが起動された際に、その時間帯により、作成されたメールデータをメールで送信するのか、またはＦＡＸで送信するのかが自動選択される。そのため、送信先の都合にあわせて、メールまたはＦＡＸで作成したメールデータを送信できる。
【００６７】
なお、メールまたはＦＡＸのどちらかを送信先に設定することとしたが、メール設定ファイル８４のデータレコードを変更することにより、メールおよびＦＡＸの両方に送信するように構成することも可能である。
【００６８】
（第３の実施の形態）
また、上記第１の実施の形態、または第２の実施の形態に加え、対象商品を撮影した時間帯に応じて、さらに実行する処理を変更するように構成することもできる。本第３の実施の形態においては、アプリケーションとしてブラウザソフトが起動された際に、時間帯に応じて表示するホームページを選択するインターネット設定処理について説明する。
【００６９】
まず構成を説明する。
本第３の実施の形態における携帯端末は、第１の実施の形態、および第２の実施の形態において説明した携帯端末１０（図２参照）と同様の構成をしているため、同符号を付し、その説明を省略する。
【００７０】
なお、携帯端末１０内の記憶媒体９は、さらに、図１１に示すインターネット設定ファイル８５、後述するインターネット設定処理プログラム（図１２参照）を記憶する。
【００７１】
図１１において、インターネット設定ファイル８５は、画像メモリ８１内に格納されている画像データの画像No.毎に、ＵＲＬをそれぞれ時間帯に対応づけて格納する。
【００７２】
次に動作を説明する。
図８のステップＳ３０において、対応するアプリケーション処理としてブラウザソフトが起動されると（図６参照）、携帯端末１０内のＣＰＵ１は、記憶媒体８からインターネット設定処理プログラムを読み出し、インターネット設定処理を実行する。このインターネット設定処理における携帯端末１０の動作を、図１２に示すフローチャートに基づいて説明する。
【００７３】
アプリケーションとしてブラウザソフトが起動されると、ＣＰＵ１は、記憶媒体８内のインターネット設定ファイル８５を検索し、ＲＡＭ３に一時格納されている画像データの画像No.に対応するデータレコードが設定されているかを検索する（ステップＳ６１）。
【００７４】
画像データに対応するデータレコードが設定されている場合（ステップＳ６１：ＹＥＳ）、ＣＰＵ１は、携帯端末１０内の時計から現在時刻を取得する（ステップＳ６２）。そして、その画像データに対応するデータレコードから、取得した現在時刻を含む時間帯にＵＲＬが設定されているか否かを判別する（ステップＳ６３）。
【００７５】
ＵＲＬが設定されていれば（ステップＳ６３：ＹＥＳ）、ＣＰＵ１は、そのＵＲＬを接続先として設定するとともにその旨を表示部５に表示させ（ステップＳ６４）、プロバイダに接続する（ステップＳ６８）。
【００７６】
また、ステップＳ６１において、画像データに対応するデータレコードが設定されていない場合（ステップＳ６１：ＮＯ）、または、ステップＳ６３において、該当するデータレコードに取得した現在時刻を含む時間帯のＵＲＬが設定されていない場合（ステップＳ６３：ＮＯ）、ＣＰＵ１は、表示部５に初期メニュー画面を表示させ（ステップＳ６５）、入力部２よりＵＲＬを入力・設定させる（ステップＳ６６）。
【００７７】
そして、入力部２を介して、設定されたＵＲＬが確定されると（ステップＳ６７：ＹＥＳ）、ＣＰＵ１は、プロバイダに接続する（ステップＳ６８）。設定されているＵＲＬが確定されない場合（ステップ６７：ＮＯ）、ＣＰＵ１は、入力部２から再度ＵＲＬを入力・設定させる（ステップＳ６６）。
【００７８】
プロバイダに接続されると、ＣＰＵ１は、設定されたＵＲＬをそのプロバイダに送信し（ステップＳ６９）、受信した受信データを表示部５に表示させ（ステップＳ７０およびＳ７１）、本インターネット設定処理を終了する。
【００７９】
以上のように、ブラウザソフトが起動された際に、時間帯に応じて表示するホームページアドレスが自動選択される。そのため、時間帯にあわせたホームページアドレスをあらかじめ設定しておくことにより、ユーザが所望するホームページを容易に表示させることができる。
【００８０】
なお、上記第１から３の実施の形態において、カメラ２０は外部接続されているとしたが、携帯端末１０に内蔵されるように構成しても、もちろんかまわない。
【００８１】
（第４の実施の形態）
また、本発明の画像処理装置を適用した携帯端末においては、カメラによる撮影画像を携帯端末の表示部に表示させる際に、カメラの移動等により、撮影画像の表示形態を変更することもできる。本第４の実施の形態においては、カメラの撮影形態に応じて、表示部に表示する撮影画像を制御する表示画面制御処理について説明する。
【００８２】
まず構成を説明する。
本第４の実施の形態における携帯端末１０は、上述した第１から３の実施の形態において説明した携帯端末１０（図２参照）の構成と同様の構成をしているため、同符号を付し、詳細な説明を省略する。
【００８３】
なお、携帯端末１０および外部接続されるカメラ２０には、携帯端末１０に対するカメラ２０の位置、移動方向、移動量等を検出するための検出部がそれぞれ設けられている。この携帯端末１０に設けられる検出部１０ａは、カメラ２０の携帯端末１０に対する位置、移動方向、移動量、および音量等の情報を検出し、その検出情報をＣＰＵ１に出力する。
【００８４】
また、携帯端末１０の記憶媒体８は、さらに、図１３に示す表示位置ファイル（同図（ａ））、移動方向ファイル（同図（ｂ））、移動量ファイル（同図（ｃ））、サイズファイル（同図（ｄ））、および後述する表示画面制御処理プログラム（図１４参照）を記憶する。
【００８５】
図１３において、表示位置ファイル８６（同図（ａ））は、カメラ２０の携帯端末１０に対する位置と、表示部５に表示させる撮影画像の位置とを対応づけて格納し、移動方向ファイル８７（同図（ｂ））は、カメラ２０の携帯端末１０に対する位置と、表示部５に表示させる撮影画像と移動方向とを対応づけて格納する。
【００８６】
また、移動量ファイル８８（同図（ｃ））は、カメラ２０の携帯端末１０に対する加速度と、表示部５に表示させる撮影画像の移動量とを対応づけて格納し、サイズファイル８９（同図（ｄ））は、携帯端末１０とカメラ２０との音量差分と、表示部５に表示させる撮影画像の倍率とを対応づけて格納する。
【００８７】
次に動作を説明する。
携帯端末１０内のＣＰＵ１は、一定時間毎に記憶媒体８から表示画面制御処理プログラムを読み出し、表示画面制御処理を実行する。この表示画面制御処理における携帯端末１０の動作を、図１４に示すフローチャートに基づいて説明する。
【００８８】
まず、携帯端末１０に設けられた検出部１０ａは、携帯端末１０に対するカメラ２０の位置情報を検出し、ＣＰＵ１に出力する（ステップＳ８１）。そして、ＣＰＵ１は、入力された位置情報から、記憶媒体８内の表示位置ファイルを参照し、カメラ２０の位置が携帯端末１０に対して左側であれば（ステップＳ８２：左）、撮影画像を左側に表示するように設定し、表示部５に表示させる（ステップＳ８３）。
【００８９】
また、検出されたカメラ２０の位置が携帯端末１０に対して右側であれば（ステップＳ８２：右）、ＣＰＵ１は、撮影画像を右側に表示するように設定し、表示部５に表示させる（ステップＳ８４）。
【００９０】
次いで、検出部１０ａは、カメラ２０の携帯端末１０に対する加速度情報を検出し、ＣＰＵ１に出力する（ステップＳ８５）。そして、ＣＰＵ１は、検出された加速度情報から、カメラ２０の携帯端末１０に対する移動方向および移動量を算出すると（ステップＳ８６）、記憶媒体８内の移動方向ファイルを参照し、算出された移動方向から撮影画像を移動させる方向を設定する（ステップＳ８７）。
【００９１】
また、ＣＰＵ１は、記憶媒体８内の移動量ファイルを参照し、算出された移動量から撮影画像を移動させる量を設定する（ステップＳ８８）。そして、設定された移動方向および移動量に基づいて撮影画像を移動し、表示画面に表示させる（ステップＳ８９）。
【００９２】
続いて、ＣＰＵ１は、携帯端末１０に設けられた検出部１０ａより携帯端末１０の音量情報、およびカメラ２０に設けられた検出部よりカメラ２０の音量情報を検出されると（ステップＳ９０）、その検出された両音量情報の差分量を算出する。
【００９３】
そして、記憶媒体８内のサイズファイルを参照し、変更する画面サイズを設定する（ステップＳ９１）。その後、ＣＰＵ１は、設定された画面サイズに基づいて撮影画面のサイズを変更し、表示画面に表示させる（ステップＳ９２）。
【００９４】
以上のように撮影画像の設定を変更・表示させると、ＣＰＵ１は、本表示画面制御処理を終了する。
【００９５】
以上のように、携帯端末１０およびカメラ２０に設けられた検出部より検出される検出情報により、携帯端末１０の表示部５に表示される撮影画像の位置および大きさが制御される。このことにより、ユーザは、カメラ２０の撮影形態を操作することにより、表示部５に表示させる撮影画像の表示形態を容易に変更できる。
【００９６】
なお、本発明において、さらに、撮影対象商品の撮影された向きにより処理を変更するように構成することもできる。
【００９７】
また、本発明においては撮影対象を商品としたが、人物を撮影対象するように構成してもよい。その場合、設定されている人物画像と、毎回撮影される人物の服装等が異なる場合があるので、肌色（顔部分）を検出して人物を特定するようにすればよい。そして、複数の人物を撮影・特定することにより、メール、ＦＡＸ等を複数の宛先に一括送信できる。
【００９８】
【発明の効果】
この発明によれば、対象物を撮影するという簡単な操作で、所望するアプリケーションを起動し、データベース内のデータレコードからその対象物の詳細情報等を表示することができる。
【図面の簡単な説明】
【図１】本発明を適用した携帯端末１０、およびカメラ２０を示す図である。
【図２】携帯端末１０の内部構成を示すブロック図である。
【図３】記憶媒体８内のメモリエリアを示す図である。
【図４】画像メモリ８１を示す図である。
【図５】データベースファイル８２を示す図である。
【図６】アプリケーションファイル８３を示す図である。
【図７】第１の実施の形態における、画像メモリ設定処理を示すフローチャートである。
【図８】第１の実施の形態における、対応ＡＰ実行処理を示すフローチャートである。
【図９】メール設定ファイル８４を示す図である。
【図１０】第２の実施の形態における、メール設定処理を示すフローチャートである。
【図１１】インターネット設定ファイル８５を示す図である。
【図１２】第３の実施の形態における、インターネット設定処理を示すフローチャートである。
【図１３】表示位置メモリ８６（同図（ａ））、移動方向メモリ８７（同図（ｂ））、移動量メモリ８８（同図（ｃ））、およびサイズメモリ８９（同図（ｄ））を示す図である。
【図１４】第４の実施の形態における、表示画面制御処理を示すフローチャートである。
【符号の説明】
１０  携帯端末
１  ＣＰＵ
２  入力部
３  ＲＡＭ
４  伝送制御部
５  表示部
６  カメラ制御部
７  記憶装置
８  記憶媒体
８１  画像メモリ
８２  データベースファイル
８３  アプリケーションファイル
８４  メール設定ファイル
８５  インターネット設定ファイル
８６  表示位置メモリ
８７  移動方向メモリ
８８  移動量メモリ
８９  サイズメモリ
９  バス
１０ａ  検出部
２０  カメラ
２０ａ  検出部
【図１】
0004610696.tif 000002
【図２】
0004610696.tif 000003
【図３】
0004610696.tif 000004
【図４】
0004610696.tif 000005
【図５】
0004610696.tif 000006
【図６】
0004610696.tif 000007
【図７】
0004610696.tif 000008
【図８】
0004610696.tif 000009
【図９】
0004610696.tif 000010
【図１０】
0004610696.tif 000011
【図１１】
0004610696.tif 000012
【図１２】
0004610696.tif 000013
【図１３】
0004610696.tif 000014
【図１４】
0004610696.tif 000015